(57)【要約】本発明は，少なくとも第１のテンプルの第１の端部が回転自在に取り付けられたフレームによって形成される眼鏡に関するものである。該フレームは，操作手段を有し，該操作手段は，第１のテンプルの第１の端部がフレームに実質的に対面する配置となる第１の位置に，該第１の端部を固定するよう構成され，そして作動された場合には，第１の端部を解放して，第１の端部が自動的に，第１のテンプルとフレームが０以外の所定の値を形成する第２の位置をとるようにする。
2004530151.tif 000002
【特許請求の範囲】
【請求項１】
第１のテンプル（２）の少なくとも１つの第１の端部（６）が回転自在に取り付けられているフレーム（１）を有し，該フレームは操作手段（８）有し，該操作手段（８）は，一方で，該第１の端部を，第１のテンプル（２）が該フレームに実質的に対面する配置となる第１の位置に固定し，他方で，作動させた場合，該第１の端部（６）を解放して，該第１の端部（６）が自動的に，該第１のテンプル（２）と該フレーム（１）が０以外の所定の値の角度を形成する第２の位置を取るようにするよう構成されていることを特徴とする眼鏡。
【請求項２】
該第１のテンプル（２）が，該フレーム（１）に回転自在に取り付けられており，この取り付けは，該第１の端部（６）がその第１の位置にある場合に付勢される第１の戻し手段（１６）を備えた旋回軸によって行われていることを特徴とする，請求項１に記載する眼鏡。
【請求項３】
該操作手段（８）が，該第１の端部（６）をその第１の位置に保持すべく該旋回軸（７）と協調して係止位置をとるよう構成された第１の固定手段（２６；２６ａ）と，該第１の固定手段（２６：２６ａ）が該旋回軸（７）と協調しない解放位置をとるように，該第１の固定手段（２６：２６ａ）に作用するよう構成された作動手段（２１；３３）とを有することを特徴とする，請求項２に記載する眼鏡。
【請求項４】
該作動手段（２１；３３）が，該操作手段が作動する場合において付勢されるように構成された第２の戻し手段（３２；４２）を有することを特徴とする，請求項３に記載する眼鏡。
【請求項５】
眼鏡が，該フレーム（１）に回転自在に取り付けられた第１の端部（９）を備えた第２のテンプル（３）を有し，この取り付けは，該第１の端部（９）が，該第２のテンプル（３）が該フレーム（１）に実質的に対面する配置となる第１の位置にある場合に，付勢されるように構成された第３の戻し手段（１１）を備えた旋回軸（１０）によって行うことを特徴とする，上記いずれかの請求項に記載する眼鏡。
【請求項６】
該操作手段（８）が第２の固定手段（２６ｂ）を有し，該第２の固定手段（２６ｂ）は，該旋回軸（１０）と協調して，該第１の端部（９）をその第１の位置に保持する係止位置を取るよう構成されており，該作動手段（３３）は，作動の場合，該第２の固定手段（２６ｂ）に作用して，該第２の固定手段がもはや該旋回軸（１０）と協調しない解放位置をとるようにし，第２のテンプル（３）の該端部（９）を解放して，該端部（９）が自動的に，該第２のテンプル（３）と該フレーム（１）が０以外の所定の値の角度を形成する第２の位置を取るようにすることを特徴とする，請求項３及び５を組み合わせた眼鏡。
【請求項７】
第１のテンプル（２）の第１の端部（６）がその第１の位置に固定されている場合，第２のテンプル（３）の該第１の端部（９）がその第１の位置に固定されていることを特徴とする，請求項５に記載する眼鏡。
【請求項８】
各固定手段（２６；２６ａ，ｂ）がケーブル（２５；４０，４１）によって作動手段（２１；３３）に接続され，該操作手段を作動した場合に付勢されるように構成された第四戻し手段（２９；２９ａ，ｂ）を備えていることを特徴とする，請求項３から７のいずれか１項に記載する眼鏡。
【請求項９】
各ケーブル（２５；４０，４１）が該フレーム（１）に形成された通路（２７；４２Ａ，ｂ）に収容されていることを特徴とする，請求項８に記載する眼鏡。
【請求項１０】
各ケーブル（２６；４０，４１）がフレーム（１）の外に配置されていることを特徴とする，請求項８に記載する眼鏡。
【発明の詳細な説明】
【技術分野】
【０００１】
本発明は眼鏡の分野に関し，より正確には，フレームに対する両側のテンプルの位置を操作することに関する。
【背景技術】
【０００２】
両側のテンプルを自動的に折り畳む機構としては，多くの提案がなされている。他方，両側のテンプルを自動的に開くための，簡単で確実な機構はない。
【発明の開示】
【発明が解決しようとする課題】
【０００３】
それ故に，本発明の目的は，両側のテンプルを開くという問題に独自の解決策を提供することにある。
【課題を解決するための手段】
【０００４】
この目的を達成するために，本発明は，特に少なくとも片側のテンプル，好ましくは両側のテンプルの第１の端部が回転自在に取り付けられたフレームによって形成される眼鏡を提案するが，該フレームは，操作手段を有し，該操作手段は，一方において，第１のテンプルの第１の端部がフレームに実質的に対面する配置となる第１の位置に，該第１の端部を固定するよう構成され，他方において，作動された場合，第１のテンプルの第１の端部を解放して，第１の端部が自動的に，第１の端部とフレームが０以外の所定の値の角度（代表的なオーダーとしては約９０°を形成する第２の位置をとるようにする。
【発明の効果】
【０００５】
以上の構成で，操作手段を作動すると，両側のテンプルの第１の端部のうち少なくとも１つが回転し，該テンプルが自動的にフレームから離れることができる。
【発明を実施するための最良の形態】
【０００６】
片側或いは両側のテンプルを直接又は間接に開く（第２の位置）操作であれ，勿論，閉じた位置（第１の位置）での固定であれ，操作手段は，多様な態様をとることができる。より詳細には，本発明の眼鏡は，以下の特徴を別々に或いは組み合わせて持つことができる。
【０００７】
第１のテンプルが旋回軸によってフレームに回転自在に取り付けられ，旋回軸は，第１の端部がその第１の位置にある場合に付勢される第１の戻し手段を備えている。
【０００８】
操作手段が，ｉ）第１の固定手段とｉｉ）作動手段とを有するが，該第１の固定手段は，係止位置を取ることができ，その係止位置では，旋回軸と協調して，第１の端部をその第１の位置に保持することができ，該作動手段は，第１の固定手段に作用して，第１の固定手段が，解放位置を取って，旋回軸と協調することがないようにする。
【０００９】
作動手段は，操作手段を作動させると付勢される第２の戻し手段を有する。
【００１０】
操作手段が，第１の固定手段のみならず，第２の固定手段をも有し，第２の固定手段は，旋回軸と協調して，第２のテンプルの第１の端部をその第１の位置に保持できる係止位置を取るよう構成されており，作動手段は，作動された場合，第２の固定手段に作用して，第２の固定手段が旋回軸と協調しない解放位置を取るようにし，これにより，第２のテンプルの第１の端部を解放して，第１の端部が自動的にその第２の位置を取れるようにする。
【００１１】
第１のテンプルの第１の端部自体がその第１の位置に固定されている場合には，第２のテンプルの第１の端部が，操作手段によって操作されることなく，その第１の位置に固定されたままになっている。この場合，第２のテンプルを開くことは，その戻し手段によって開始される。
【００１２】
１つ（或いは２つ）の固定手段が，作動手段にケーブルによって接続され，更に操作手段の作動によって付勢される構成となっている第３の戻し手段を備えている。この場合，１つ以上のケーブルは，フレームに形成された１つ以上の通路に収容されているか，フレームの外に配置される。
【００１３】
１つ以上の固定手段が，実質的に直進運動をするように構成された剛性端部を有しており，１つ以上の旋回軸が，この剛性端部と協調する構成の止め具を有していて，それぞれの第１の端部をその第１の位置に固定するようにする。
【００１４】
１つ以上の固定手段が，実質的に直進運動をするように構成された剛性端部を有しており，１つ以上の旋回軸が，この剛性端部の少なくとも一部を受けるよう構成された凹部を有していて，それぞれの第１の端部をその第１の位置に固定するようになっている。
【００１５】
作動手段が，ｉ）駆動手段とｉｉ）押し部材とを有しており，該駆動手段は，それぞれの固定手段ごとに設けられ，各駆動手段は，それに相当するケーブルに接続され，フレームに対して相対的に回転するよう駆動された場合，ケーブルを引っ張り，それに相当する固定手段の剛性端部が直進運動するようになっており，該押し部材は，圧力によって作動した場合に，各駆動手段を回転駆動して，それに相当する側のテンプルの第１の端部が自動的にその第１の位置からその第２の位置に変化できるようにする。
【００１６】
フレームに対して相対的回転自在に取り付けられ，２つの対向する部分を有する作動手段において，第１の部分は，各ケーブルに接続されおり，第２の部分が作動された場合，第１の部分が各ケーブルを牽引し，それに相当する固定手段の剛性端部が直進運動し，それに相当する側のテンプルの第１の端部が自動的にその第１の位置からその第２の位置に変化するようにする。
【００１７】
作動手段がフレームに対して相対的回転自在に取り付けられた素子であり，該素子は，回転作動された場合，各ケーブルを引っ張るように配置されているので，各固定手段の剛性端部が直進運動をし，各第１の端部が自動的にその第１の位置からその第２の位置に変化できるようにする。
【００１８】
本発明のその他の特徴及び利点は，以下の詳細な説明及び添付の図面から明らかとなろう。
【実施例１】
【００１９】
図１は，本発明の第１の開閉機構を備えた眼鏡の平面図である。
図２Ａないし図２Ｃは，図１の第２のテンプルの戻し手段を断面図で示すものであり，図２Ａは縦断面で第２のテンプルが開いた状態，図２ｂは水平断面で第２のテンプルが開いた状態，図２Ｃは水平断面で第２のテンプルが閉じた状態をそれぞれ示す。
図３Ａないし図３Ｄは，第１のテンプルの戻し手段及び第１の開閉機構を断面図で示すものであり，３Ａは縦断面，３ｂは水平断面で第１のテンプルが閉じた状態，３Ｃは水平断面で第１のテンプルが開いた状態，３Ｄは側面の縦断で第１のテンプルが開いた状態をそれぞれ示す。
図４は，本発明の第２の開閉機構を備えた眼鏡の斜視図である。
図５は，図４の第２の開閉機構の詳細を図式的に示す縦断面図である。
図６は，本発明の眼鏡の別の実施態様を示す。
添付の図面は主として特定の特徴を有するものであり，状況に応じ，本発明を全うさせるのみならず，本発明の説明の補完となすものである。
【００２０】
以下の説明において，両側のテンプル２と３を回転自在に取り付けたフレーム１からなり，フレームが２つのレンズ４と５を支持している眼鏡の説明を行う。しかしながら，本眼鏡は，片方のテンプルと結合したフレームからなるものであっても良い。
【００２１】
図１に示すように，第１のテンプルは，フレーム１に回転自在に取り付けた第１の旋回軸７に固定的に接続された第１の端部６と，第２の自由端部を有する。この上述された第１の実施態様においては，第１のテンプル２の位置だけが，開閉機構の操作手段８によって直接操作される。
【００２２】
第２のテンプル３も，フレーム１に回転自在に取り付けた第２の旋回軸１０に固定的に接続された第１の端部９と，第２の自由端部を有する。図２Ａないし図２Ｃを見ると良く分かるように，第２の旋回軸１０は，ここでは渦巻きバネ１１である戻し手段を支持し，バネの第１の端部１２は，第２のテンプル３の第１の端部９に形成された凹部１３に固定されており，第１の端部１２から離れた第２の端部１４は，フレーム１に形成された凹部１５に固定されている。バネ１１は，第２のテンプル３がフレーム１に対して折り畳まれているときは，付勢されている（図２Ｃ参照）。その結果，本実施態様においては，第２のテンプルが折り畳まれているときは，第２のテンプル３の第１の端部９が第１（不安定）位置にあり，第２のテンプル３とフレームがある角度，この場合は実質的に９０度に等しいとき，第２（安定）位置にある。
【００２３】
以下の説明で明らかになるように，従って，第１のテンプル２が開閉機構により折りたたみ位置に固定されて第２のテンプルの上にあるときは，第２のテンプル３は折りたたみ位置に保持される。
【００２４】
以下，図３Ａないし図３Ｄを参照して，第１のテンプル２の開閉機構を説明する。
【００２５】
第１のテンプル２の第１の旋回軸７は，ここでは渦巻きバネ１６である戻し手段を支持しており，バネの第１の端部１７は第１の端部６に形成された凹部１８に固定されている。一方，第１の端部１７から離れた第２の端部１９は，フレーム１に形成された凹部２０に固定されている。第１のテンプル２がフレーム１に対して折り畳まれているときは，バネ１６は付勢されている（図３ｂ参照）。従って，この実施態様においては，第１のテンプル２が折り畳まれているときは，第１のテンプル２の第１の端部６は第１の位置（機構がなければ不安定―図３ｂ）にあり，第１のテンプル２及びフレーム１がある角度，ここでは，実質的に９０度に等しい角度をなしているときは，第２の位置（安定，図３Ｃ及び図３Ｄ）にある。
【００２６】
図３Ａないし図３Ｄに示す実施例の開閉機構（すなわち操作手段８）は，作動部材２１を有し，作動部材２１は，旋回軸２２によりフレーム１に対し相対的回動自在に取り付けられており，ここでは，ケーブル２５である駆動手段に接続された第１の部分２３と，使用者が作動するための第２の部分２４とからなる。
【００２７】
第１の部分２３から離れたケーブルの端部は，ここではテーパーポイント２６である固定手段で終端しており，テーパーポイント２６は，第１のテンプル２の第１の旋回軸７の近くまで来ている。図示の例では，ケーブル２５はフレーム１に形成された通路２７に収容され，片方の端は，第１の部分２３に臨んで開放され，他方の端は，第１のテンプル２の第１の端部６で開放されている。
【００２８】
図示の例では，第１の旋回軸７は，テーパーポイント２６と協調して，第１の端部６をその第１の位置に固定するための放射状止め具２８を有している（図３ｂ参照）。この第１の位置（テンプル折りたたみ状態）では，バネ１６が付勢されていても，止め具２８がポイント２６によりブロックされているので，第１の端部６は回転駆動させることができない。従って，回転駆動はポイント２６が引っ込められた場合だけ可能となる。
【００２９】
ポイント２６を引っ込めるには，作動手段２１の第２の部分２４を，この場合圧することで作動すればよい。実際，この作動により作動手段２１の第１の部分２３はケーブル２５を引っ張り，ポイント２６は直進運動により引っ込められ，第１のテンプル２の第１の端部６は自動的にその第１の位置から第２の位置に通過する。
【００３０】
ポイント２６がその係止位置（図３ｂ）に戻ることができるようにするために，好ましくは戻し手段，この場合は，当該ポイントのすぐ上流側に配置された渦巻きバネ２９が設けられている。また，作動手段２１のその初期位置（作動前）に戻すのを容易にするため，第２の部分２４の下に止め具３０を設けるのが好ましく，この止め具３０は，少なくとも部分的にフレーム１の凹部３１に収容し，その中間部分では，ここでは渦巻きバネ３２である戻し手段を支持している。第２の部分２４に圧力が働くと，止め具３０は直進運動をし，バネ３１を圧縮する。従って，使用者が第２の部分２４に圧力を掛けるのをやめると，バネ３１が該第２の部分２４を直進運動させ，作動手段２１をその元の位置に戻させる。
【００３１】
使用者が，自分の眼鏡を片付けたい場合，まず第２のテンプル３を折りたたみ，次に第１のテンプルを折り畳む必要がある。止め具２８がポイント２６のレベルに到達すると，使用者が第１のテンプル２に掛けていた圧力は，バネ２９の圧力に打ち勝つのに十分であり，そのためポイント２６が引っ込み，止め具２８が移動可能になり，ポイント２６はその静止位置に再び位置付けられ，第１の端部６をその第１の位置に固定する。その結果，第２のテンプル３もその折りたたみ位置に固定される。第１のテンプル２が，第２のテンプル３に対しその上に固定されるからである。
【００３２】
構成部品を減らした別の実施態様では，止め具２８の代わりに，旋回軸７の本体にくぼみを設けても，それと協調するポイント２６が，同様な結果をもたらす。
【実施例２】
【００３３】
次に図４及び図５を参照して，本発明の開閉機構の第２の実施態様を説明する。
【００３４】
この第２の機構は，両側のテンプルの位置を直接に，そして実質的に同時に操作しようとするものである。しかしながら，この機構を使用して，片側テンプルだけを操作することもできる。
【００３５】
この第２の実施態様で使用する固定手段，戻し手段及び旋回軸（止め具形）は，第１のテンプル操作用の第１の機構で使用するものと同じであるのが好ましい。従って，これらの手段の説明を省略し，同じ符号を付すが，第１のテンプル２か第２のテンプル３かにより，ａ又はｂの文字を添付する。
【００３６】
この場合，作動手段の実施態様のみ第１の機構と相違する。作動手段は，中心棒３４の片方の延長端に作動ヘッド３５，他方の延長端に傾斜面のある足部３６を有する押しボタン３３により構成される。この足部はまた逆ピラミッド形状或いは円錐台形状でも良い。中心棒３４と足部３６は，この場合フレーム１の中心部（ブリッジ）に形成される凹部３７に収容される。この凹部は中心からずれていても良い。
【００３７】
更に，中心棒３４は，ここでは渦巻きバネ４２である戻し手段を備えている。作動手段３３のヘッド３５に圧力を加えると，ばね４２を圧縮し，それで圧力を緩めると，該作動手段３３は元の位置に戻れるようになっている。
【００３８】
足部３６の表面は，フレーム１に対して相対的回転自在に取り付けた，好ましくは２つの非対称のローラーである２つの駆動手段３８と３９に対向するように配置されている。各ローラー３８と３９はケーブル４０と４１の端部に接続され，ケーブルの他端は，固定手段，例えば図１ないし図３に示すタイプのテーパーポイント（或いは棒）２６ａと２６ｂに接続される。
【００３９】
押しボタン３３のヘッド３５を作動すると，足部３６が直進運動を開始し，足部の傾斜面はローラー３８と３９を回転駆動させる。ローラーが回転すると，ケーブル４０と４１に牽引力が，従って，それぞれの端部に配置したポイント２６ａと２６ｂにも牽引力が及ぶ。すると，（バネ２９の付勢下にある）旋回軸７と１０の回転が解放され，第１の端部６と９が続けざまにそれぞれの第１の位置から第２の位置に変化することができる。それで両側のテンプル２と３は自動的にフレーム１に対して約９０度に配置される。
【００４０】
両側のテンプルを折り畳むには，旋回軸７と１０の止め具２８が，ポイント２６ａと２６ｂにおけるバネ２９による圧力に打ち勝って，該止め具が該ポイントを越えて移動するに十分な圧力を両側のテンプルに加えればよい。ポイント２６ａと２６ｂはまた最初の位置にもどり，止め具２８を固定することができる。
【００４１】
本発明は，これまでもっぱら例として説明した実施例に限定されるものではなく，当業者が以下に述べる請求項の範囲内で考慮するすべての変化を含むものである。
【００４２】
第１の端部の固定を，ポイント（或いはテーパー棒）及び旋回軸が支える止め具の協調により行う機構を説明した。しかし，旋回軸に形成された凹部とテーパー棒の協調で固定を行うようにしても良い。
【００４３】
また，渦巻きバネ以外の戻し手段を使用することもできる。
【００４４】
更に，図１ないし図３に示す開閉機構は直接両側のテンプルの位置を操作する構成とすることもできる。この目的のためには，例えば，第１のテンプルのと同じタイプの，第２のテンプルの第１の端部を固定する手段を備えて，この固定手段を，作動手段の第１の部分（これは必要に応じ，フレームのブリッジの中央位置に動かすことができる）か，特定の作動手段に接続すればよい。
【００４５】
同様に，図４及び図５に示す機構を，片側テンプルだけを直接操作するのに使用できる。この場合，駆動ディスクは１つだけでよく，作動手段は，必要に応じ，当該側のテンプルの第１の端部近くに中心をずれて設けても良い。
【００４６】
また，ケーブルを，内部のダクトや，フレームに形成した凹部に収容するのではなく，フレームの表面に配置しても良い。
【００４７】
作動機構を圧力ではなく回転で操作することも考えられる。例えば，弾性戻しを有する回転部材に，１本か２本（直径方向で反対の）のケーブルを取り付けた放射状ディスクを備えたものを使用すればよい。
【００４８】
最後に，ケーブル以外の駆動手段を使用しても良い。ケーブルに代わるものとしては，非圧縮性の流体をダクトの中に入れ，両端に密封膜を付け，片方は作動手段による操作を受け，他方は固定手段を操作するようにする。
【００４９】
図６において，押しボタン３５は，そこから延びるそれぞれの棒５０と５１によって，それぞれのケーブル４０と４１に接続されている。２つのバネ５２と５３は，棒５０と５１に沿って取り付けられており，釣り合い良く，押しボタンを上方に付勢している。押しボタン３５を押すと，押しボタンをケーブルにつなげている棒５０と５１が，ケーブルを下方に引っ張り，ケーブルの他端で，ポイント２６との関係で止め具２８を解放する。
【００５０】
勿論，説明した各実施態様の特徴は，それぞれ組み合わせて，別の実施態様とすることもでき，そのような態様も明白に本発明の範囲内である。
【図面の簡単な説明】
【００５１】
【図１】図１は本発明の第１の開閉機構を備えた眼鏡の平面図である。
【図２】図２Ａないし図２Ｃは，図１の第２のテンプルの戻し手段を断面図で示すものであり，図２Ａは縦断面で第２のテンプルが開いた状態，図２ｂは水平断面で第２のテンプルが開いた状態，図２Ｃは水平断面で第２のテンプルが閉じた状態をそれぞれ示す。
【図３】図３Ａないし図３Ｄは，第１のテンプルの戻し手段及び第１の開閉機構を断面図で示すものであり，３Ａは縦断面，３ｂは水平断面で第１のテンプルが閉じた状態，３Ｃは水平断面で第１のテンプルが開いた状態，３Ｄは側面の縦断で第１のテンプルが開いた状態をそれぞれ示す。
【図４】図４は，本発明の第２の開閉機構を備えた眼鏡の斜視図である。
【図５】図５は，図４の第２の開閉機構の詳細を図式的に示す縦断面図である。
【図６】図６は，本発明の眼鏡の別の実施態様を示す。
【国際公開パンフレット】
2004530151.tif 000003
2004530151.tif 000004
2004530151.tif 000005
2004530151.tif 000006
2004530151.tif 000007
2004530151.tif 000008
2004530151.tif 000009
2004530151.tif 000010
2004530151.tif 000011
2004530151.tif 000012
2004530151.tif 000013
2004530151.tif 000014
2004530151.tif 000015
2004530151.tif 000016
2004530151.tif 000017
2004530151.tif 000018
2004530151.tif 000019
2004530151.tif 000020
2004530151.tif 000021
【国際調査報告】
2004530151.tif 000022
2004530151.tif 000023
2004530151.tif 000024
2004530151.tif 000025